(57)【要約】【課題】ライトによって作業箇所を好適に照明可能とする。【解決手段】インパクトドライバ１は、モータ１０と、モータ１０により回転するスピンドル１２と、スピンドル１２に保持されるハンマ７０と、前方へ突出してハンマ７０により回転方向に打撃されるアンビル１４と、ハンマ７０を収容するハンマケース８と、ハンマケース８の外周に配置され、透光性を有するハンマケースカバー５８と、アンビル１４の前方に向けて光を照射するライト１０１Ａ，１０１Ｂと、を含み、ライト１０１Ａ，１０１Ｂの照射範囲内に、ハンマケースカバー５８が位置している【選択図】図７
2019111612.tif 000002
【特許請求の範囲】
【請求項１】
モータと、
前記モータにより回転するスピンドルと、
前記スピンドルに保持されるハンマと、
前方へ突出して前記ハンマにより回転方向に打撃されるアンビルと、
前記ハンマを収容するハンマケースと、
前記ハンマケースの外周に配置され、透光性を有するハンマケースカバーと、
前記アンビルの前方に向けて光を照射するライトと、を含み、
前記ライトの照射範囲内に、前記ハンマケースカバーが位置していることを特徴とするインパクト工具。
【請求項２】
モータと、
前記モータにより回転するスピンドルと、
前記スピンドルに保持されるハンマと、
前方へ突出して前記ハンマにより回転方向に打撃される軸状のアンビルと、
前記ハンマを収容する金属製のハンマケースと、
前記ハンマケースの外周に配置されるハンマケースカバーと、
正面視で前記アンビルの径方向外側に配置され、前記アンビルの前方に向けて光を照射する少なくとも２つのＬＥＤと、を含んでなることを特徴とするインパクト工具。
【請求項３】
前記ＬＥＤは、正面視が長方形状を有し、長手方向が前記アンビルの軸心を中心とした円周方向に沿うように配置されていることを特徴とする請求項２に記載のインパクト工具。
【請求項４】
前記ハンマケースの下部に、動作モードを切替操作するための切替スイッチが配置されていることを特徴とする請求項１乃至３の何れかに記載のインパクト工具。
【請求項５】
前記ハンマケースには、前記アンビルを回転可能に直接保持する前側の第１の軸受及び後側の第２の軸受とが保持されていることを特徴とする請求項１乃至４の何れかに記載のインパクト工具。
【発明の詳細な説明】
【技術分野】
【０００１】
本発明は、インパクトドライバ等のインパクト工具に関する。
【背景技術】
【０００２】
例えばインパクトドライバでは、特許文献１に示すように、モータから回転伝達されるスピンドルに、ボールを介してハンマを連結すると共に、スピンドルに外装されるコイルバネによってハンマを、ビットが装着される出力軸となるアンビルと係合させて、アンビルへのトルクの高まりに応じて、ハンマをアンビルに係脱させて回転打撃力（インパクト）を間欠的に発生させる。
また、このインパクトドライバにおいて、打撃機構を収容するハンマケースの下方でスイッチを操作するトリガの上方には、アンビルの前方を照射するライトであるＬＥＤが斜め上向きに設けられている。
【先行技術文献】
【特許文献】
【０００３】
【特許文献１】特開２０１６−１０７３７５号公報
【発明の概要】
【発明が解決しようとする課題】
【０００４】
上記従来のインパクトドライバにおいては、アンビルの下方一カ所から前方を照射するため、照射範囲にアンビルやビットによる影が生じ，作業箇所が見にくくなって作業性が低下してしまうおそれがあった。
【０００５】
そこで、本発明は、ライトによって作業箇所を好適に照明することができ、作業性を低下させることがないインパクト工具を提供することを目的としたものである。
【課題を解決するための手段】
【０００６】
上記目的を達成するために、請求項１に記載の発明は、モータと、モータにより回転するスピンドルと、スピンドルに保持されるハンマと、前方へ突出してハンマにより回転方向に打撃されるアンビルと、ハンマを収容するハンマケースと、ハンマケースの外周に配置され、透光性を有するハンマケースカバーと、アンビルの前方に向けて光を照射するライトと、を含み、ライトの照射範囲内に、ハンマケースカバーが位置していることを特徴とする。
上記目的を達成するために、請求項２に記載の発明は、モータと、モータにより回転するスピンドルと、スピンドルに保持されるハンマと、前方へ突出して前記ハンマにより回転方向に打撃される軸状のアンビルと、ハンマを収容する金属製のハンマケースと、ハンマケースの外周に配置されるハンマケースカバーと、正面視でアンビルの径方向外側に配置され、アンビルの前方に向けて光を照射する少なくとも２つのＬＥＤと、を含んでなることを特徴とする。
請求項３に記載の発明は、請求項２の構成において、ＬＥＤは、正面視が長方形状を有し、長手方向がアンビルの軸心を中心とした円周方向に沿うように配置されていることを特徴とする。
請求項４に記載の発明は、請求項１乃至３の何れかの構成において、ハンマケースの下部に、動作モードを切替操作するための切替スイッチが配置されていることを特徴とする。
請求項５に記載の発明は、請求項１乃至４の何れかの構成において、ハンマケースには、アンビルを回転可能に直接保持する前側の第１の軸受及び後側の第２の軸受とが保持されていることを特徴とする。
【発明の効果】
【０００７】
本発明によれば、ライトによって作業箇所を好適に照明することができる。
【図面の簡単な説明】
【０００８】
【図１】インパクトドライバの斜視図である。
【図２】インパクトドライバの左からの側面図である。
【図３】インパクトドライバの正面図である。
【図４】インパクトドライバの背面図である。
【図５】インパクトドライバの中央縦断面図である。
【図６】本体部の拡大中央縦断面図である。
【図７】図５のＡ−Ａ線拡大断面図である。
【図８】図５のＢ−Ｂ線拡大断面図である。
【図９】左側の半割ハウジングの側面図である。
【図１０】右側の半割ハウジングの側面図である。
【図１１】右側の半割ハウジングを省略したインパクトドライバの右からの側面図である。
【図１２】左側の半割ハウジングを省略したインパクトドライバの左からの側面図である。
【図１３】（Ａ）は、インパクトドライバの振れ抑制効果の検証方法の説明図、（Ｂ）は他の製品群を含む検証結果表である。
【発明を実施するための形態】
【０００９】
以下、本発明の実施の形態を図面に基づいて説明する。
図１は、電動工具の一例であるインパクトドライバの斜視図、図２は左からの側面図、図３は正面図、図４は背面図、図５は中央縦断面図、図６は本体部の拡大中央縦断面図である。
インパクトドライバ１は、中心軸を前後方向とする本体部２と、その本体部２から下方へ突出するグリップ部３とを有する。インパクトドライバ１のハウジングは、本体部２を形成する筒状のモータハウジング５とグリップ部３を形成するグリップハウジング６とが連設される本体ハウジング４と、モータハウジング５の後端にネジ止め装着される後カバー７と、モータハウジング５の前部に組み付けられるハンマケース８とから構成されている。本体ハウジング４は、左右の半割ハウジング４ａ，４ｂに分割され、左右方向のネジ９，９・・によって組み付けられる。
【００１０】
本体部２には、後方から、モータ１０、遊星歯車減速機構１１、スピンドル１２、打撃機構１３の順で設けられている。モータ１０はモータハウジング５に、遊星歯車減速機構１１、スピンドル１２、打撃機構１３はハンマケース８にそれぞれ収容されて、打撃機構１３に設けられた出力軸となるアンビル１４が、ハンマケース８の前端から前方へ突出している。
グリップ部３の上部には、トリガ１６を前方へ突出させたスイッチ１５が収容されて、グリップ部３の下端には、電源となるバッテリーパック１８が装着されるバッテリー装着部１７が形成されている。このバッテリー装着部１７内には、バッテリーパック１８と電気的に接続される端子台１９と、その上方に位置するコントローラ２０とが収容されている。コントローラ２０には、マイコンやスイッチング素子等を搭載した制御回路基板２１が設けられて、バッテリー装着部１７の上面には、制御回路基板２１に電気的に接続されてモータの回転数やバッテリーパック１８の残量表示等を行う表示パネル２２が設けられている。
【００１１】
モータ１０は、ステータ２３とロータ２４とを有するインナロータ型のブラシレスモータである。まずステータ２３は、複数の鋼板を積層してなるステータコア２５と、ステータコア２５の前後に設けられる前絶縁部材２６及び後絶縁部材２７と、前絶縁部材２６及び後絶縁部材２７を介してステータコア２５に巻回される複数のコイル２８，２８・・と、を有してモータハウジング５内に保持されている。前絶縁部材２６には、コイル２８のワイヤを一端に挟んでヒュージングする３つのヒュージング端子２９，２９・・が設けられて、各ヒュージング端子２９の他端が、前絶縁部材２６の下端から下向きに突設した連結片３０に引き回されている。この連結片３０に、コントローラ２０から配線されて各ヒュージング端子２９に対応するリード線をはんだ付けした側面視コ字状の端子ユニット３１が、下方から挟み込むようにネジ３２によって組み付けられて電気的接続されている。端子ユニット３１から引き出される三相の電源線は、スイッチ１５の後方でグリップ部３内を通ってコントローラ２０内の制御回路基板２１に接続されている。
【００１２】
ロータ２４は、軸心に位置する回転軸３３と、回転軸３３の周囲に配置される筒状のロータコア３４と、ロータコア３４の外側に配置され、筒状で周方向に極性を交互に変えた永久磁石３５と、これらの前側において放射状に配置された複数のセンサ用永久磁石３６，３６・・と、を有する。前絶縁部材２６の前端には、ロータ２４のセンサ用永久磁石３６の位置を検出して回転検出信号を出力する３つの回転検出素子を搭載したセンサ回路基板３７がネジ固定されている。このセンサ回路基板３７の下端には、回転検出信号を出力する信号線が接続されて、この信号線も、電源線と同様にスイッチ１５の後方でグリップ部３内を通ってコントローラ２０内の制御回路基板２１に接続されている。
【００１３】
後カバー７は、図７にも示すように、モータハウジング５の後方から左右のネジ３８，３８によって取り付けられるキャップ状で、この後カバー７に保持された軸受３９が回転軸３３の後端を軸支している。軸受３９の前方で回転軸３３には、金属製のインサートブッシュ４１を介してモータ冷却用の遠心ファン４０が取り付けられている。この遠心ファン４０の中央部は、前方へすり鉢状に膨出する膨出部４２となっており、軸受３９は膨出部４２のすぐ後側で遠心ファン４０と径方向でオーバーラップするように配置されている。後カバー７の側面には、遠心ファン４０の径方向外側に位置する排気口４３，４３・・が形成されて、モータハウジング５の側面には吸気口４４，４４・・が形成されている。
【００１４】
一方、回転軸３３の前端は、モータ１０の前方でモータハウジング５に保持されたベアリングリテーナ４５を貫通して前方へ突出し、ベアリングリテーナ４５の後部に保持された軸受４６によって軸支されている。回転軸３３の前端にはピニオン４７が取り付けられている。
ベアリングリテーナ４５は、中央にくびれ部を形成した金属製の円盤状で、モータハウジング５の内面に設けたリブ４８がくびれ部に嵌合することで、ベアリングリテーナ４５は前後方向への移動を規制された状態でモータハウジング５に保持される。
また、ベアリングリテーナ４５の前面周縁には、外周に雄ネジ部を形成したリング壁４９が前方へ向けて突設されて、このリング壁４９に、ハンマケース８の後端内周に設けた雌ネジ部が結合されている。
【００１５】
ハンマケース８は、前半部が先細りとなって前端に前筒部５０が形成される金属製の筒状体で、蓋となるベアリングリテーナ４５によって後部が閉塞される。ハンマケース８の下面には、突起５１が形成されて、組み付け状態では、左右の半割ハウジング４ａ，４ｂの内面に突設された押さえリブ５２，５２（図９，１０）がそれぞれ突起５１の側面に当接するようになっている。
また、ハンマケース８の左右の側面には、図７及び図１１，１２に示すように前後方向に延びる側面視長方形状の突条５３，５３が形成されており、この突条５３，５３が、半割ハウジング４ａ，４ｂの内面に形成された同形状の凹溝５４，５４（図９，１０）に嵌合するようになっている。この突起５１と押さえリブ５２、突条５３と凹溝５４との係合により、ハンマケース８の回転規制がなされる。
【００１６】
ハンマケース８とスイッチ１５との間で本体ハウジング４には、モータ１０の正逆切替レバー５５が左右へスライド可能に設けられ、その前方で本体ハウジング４には、打撃モードを切替可能な切替スイッチ５６が、ボタン部５７を前面に露出させた前向き姿勢で保持されている。このボタン部５７は、グリップ部３を把持する手指によって押し操作可能となっている。ここではボタン部５７の押し操作の繰り返しにより、打撃力が「弱」「中」「強」「最速」と４段階に切り替わるようになっている。
また、モータハウジング５の前方には、ハンマケース８の前部から前筒部５０にかけて覆う樹脂製で透光性を有するハンマケースカバー５８が設けられ、ハンマケースカバー５８の前端外周部には、ゴム製のバンパ５９が装着されている。
【００１７】
そして、ベアリングリテーナ４５の前部には、軸受６０が保持されて、軸受６０によってスピンドル１２の後端が軸支されている。このスピンドル１２は、後部に中空で円盤状のキャリア部６１を有し、後面から軸心に形成した有底孔６２内に、回転軸３３の前端及びピニオン４７を突出させている。
遊星歯車減速機構１１は、内歯を有するインターナルギヤ６３と、インターナルギヤ６３に噛み合う外歯を有する３つのプラネタリーギヤ６４，６４・・とを含む。インターナルギヤ６３は、ベアリングリテーナ４５のリング壁４９の内側に同軸で収容され、その前部外周側には、ハンマケース８の内周面で雌ネジ部の前方に形成された凹部６５に係合する回り止め部６６が設けられている。この回り止め部６６がリング壁４９とハンマケース８の内周面に設けられた段部６７とに挟持されることで軸方向への移動も規制される。プラネタリーギヤ６４は、ピン６８によってスピンドル１２のキャリア部６１内で回転可能に支持されて、回転軸３３のピニオン４７と噛合している。
【００１８】
打撃機構１３は、スピンドル１２に外装されるハンマ７０と、そのハンマ７０を前方へ付勢するコイルバネ７１とを含む。まずハンマ７０は、前面に一対の爪７２，７２を有し、内面に形成した外側カム溝７３と、スピンドル１２の表面に形成した内側カム溝７４とに跨がって嵌合されるボール７５，７５を介してスピンドル１２と結合されている。また、ハンマ７０の後面には、リング状の溝７６が形成されて、ここにコイルバネ７１の前端が挿入されている。コイルバネ７１の後端は、キャリア部６１の前面に当接している。ハンマ７０の内周には、インパクト動作時の後退位置でスピンドル１２の有底孔６２から半径方向に貫通形成された連通孔７７，７７と連通するリング状の凹溝７８が形成されて、有底孔６２内のグリスを連通孔７７から凹溝７８へ供給してハンマ７０とスピンドル１２との間の潤滑を図るようにしている。
【００１９】
［アンビルの軸支構造の説明］
アンビル１４は、ハンマケース８の前筒部５０内に保持された前後２つのボールベアリング８０Ａ，８０Ｂによって軸支されている。アンビル１４の後端には、ハンマ７０の爪７２，７２と回転方向で係合する一対のアーム８１，８１が形成されている。
このボールベアリング８０Ａ，８０Ｂは、図６，７に示すように、それぞれ内輪８０ａと、外輪８０ｂと、両輪の間で周方向に一列で配置される複数のボール８０ｃ，８０ｃ・・とを含んでなり、２つのボールベアリング８０Ａ，８０Ｂの間には、中間ワッシャ８２が介在されている。この中間ワッシャ８２がボールベアリング８０Ａ，８０Ｂの外輪８０ｂ，８０ｂにそれぞれ当接することで、ボールベアリング８０Ａ，８０Ｂの間に所定の間隔を保持している。
【００２０】
ここでのボールベアリング８０Ａ，８０Ａ及び中間ワッシャ８２の外径は共に同一で、前後に亘って等径となる前筒部５０の内径部５０ａに後方から挿入されている。前筒部５０の前端には、内径部５０ａよりも小径となるリング状の位置決め部５０ｂが周設されて、前側のボールベアリング８０Ａの外輪８０ｂが位置決め部５０ｂに当接することで前方への位置決めが図られている。前筒部５０内で前側のボールベアリング８０Ａと位置決め部５０ｂとの間には、アンビル１４と位置決め部５０ｂとの間を閉塞してボールベアリング８０Ａ，８０Ｂの防塵を図る前ワッシャ８３が設けられ、後側のボールベアリング８０Ｂの後方には、ボールベアリング８０Ｂの後方への位置決め用の後ワッシャ８４が設けられている。この後ワッシャ８４は、ボールベアリング８０Ｂ及び内径部５０ａよりも大きい外径を有して前筒部５０の内周面に設けられた周方向の溝５０ｃに嵌合し、ボールベアリング８０Ｂの外輪８０ｂに当接している。
【００２１】
また、アーム８１，８１の前方で前筒部５０の後面内周側には、内径が後ワッシャ８４の外径より小さく、外径が後ワッシャ８４の外径よりも大きいリング状の保持部８５が同軸で突設され、その保持部８５の外側に、後面が保持部８５よりも後方位置となる厚みを有する樹脂製の外ワッシャ８６が嵌合している。この外ワッシャ８６は、アーム８１，８１を受けるものである。
さらに、アンビル１４におけるボールベアリング８０Ａ，８０Ｂの内側には、Ｏリング８７，８７が前後に２つ設けられて、それぞれボールベアリング８０Ａ，８０Ｂの内輪８０ａ，８０ａと接触している。なお、Ｏリング８７，８７は必要性に応じて省略することもできる。
アンビル１４の後面軸心には、スピンドル１２の前端軸心に設けた嵌合突起８９が嵌合する嵌合凹部８８が形成されている。スピンドル１２の軸心には、有底孔６２から嵌合突起８９まで貫通して有底孔６２を嵌合凹部８８に連通させ、有底孔６２内のグリスを嵌合凹部８８へ供給してスピンドル１２とアンビル１４との潤滑を図る軸心孔９０が形成されている。
【００２２】
一方、アンビル１４の外周の前半部分は、後半側よりも小径の小径部９１となっており、アンビル１４の軸心には、ビットを前方から挿入可能な横断面六角形状の挿入孔９２が前端から開口形成されている。また、アンビル１４内には、一対の半径方向の貫通孔９３，９３が、挿入孔９２を中心とした点対称位置で、挿入孔９２と連通形成されている。貫通孔９３，９３には、ボール９４，９４が収容されて、貫通孔９３における挿入孔９２との連通側の開口は、ボール９４の直径よりも小さく形成されて、ボール９４が挿入孔９２側へ落下しないようになっている。
【００２３】
さらに、アンビル１４の小径部９１には、操作スリーブ９５が外装されている。この操作スリーブ９５は、後端内側に、小径部９１の外周に近接する規制突条９６を有してその前側の内周を規制突条９６の内径よりも大径とした筒体で、小径部９１に外装したコイルバネ９７を、小径部９１の前端外周で止めリング９８に位置決めされた止めワッシャ９９と規制突条９６との間に介在させている。これにより操作スリーブ９５は、常態では後端が小径部９１の根元外周に形成されたリング状のストッパ面１００に当接する後退位置へ付勢される。この後退位置では、規制突条９６が、ボール９４の外側に位置して径方向外側への移動を規制するようになっている。
なお、挿入孔９２の径方向外側には、ボールベアリング８０Ａ，８０Ｂ、中間ワッシャ８２が配置されているため、挿入孔９２の後方にボールベアリング８０Ａ，８０Ｂ、中間ワッシャ８２が配置される場合に比べて、前後方向の長さが短くなっている。
【００２４】
［ライトの説明］
そして、本体部２の左右には、一対のライト１０１Ａ，１０１Ｂが配置されている。このライト１０１Ａ，１０１Ｂは、図２及び図７，８に示すように、正面視が長方形であるチップ状のＬＥＤ１０３を搭載した同じく正面視長方形のＬＥＤ基板１０２を、透光性を有する四角箱状のライトケース１０４に収容してなる。このライト１０１Ａ，１０１Ｂを、ＬＥＤ１０３が前側且つ正面視で縦向きとなるようにして、ハンマケース８と左右の半割ハウジング４ａ，４ｂとの間に配置している。
ここではライト１０１Ａ，１０１Ｂの組み付け構造が本体部２の左右で異なっている。まず、左側について説明する。図９に示すように、ハンマケース８の左側面を覆う半割ハウジング４ａの上部前端において、上下方向の中央部分には、ハンマケースカバー５８の後端形状に合わせて、上下幅が後方へ行くに従って先細りテーパ状となる左切欠部１０５が形成されており、この左切欠部１０５の後方部分に、左外側へ突出して前方へ開口し、内面に左側のライト１０１Ａのライトケース１０４が嵌合する上下に長い四角形状の左受け凹部１０６が形成されている。
【００２５】
また、左受け凹部１０６の下側には、ＬＥＤ基板１０２に接続されてライトケース１０４の下面から引き出されるリード線１０７（図１２）を半割ハウジング４ａの内面に沿って下方へ引き回すための左引き回し溝１０８が、左受け凹部１０６に連通して下向きに凹設されている。さらに、左受け凹部１０６の上側には、ハンマケースカバー５８の後端左側から後ろ向きに突設された帯状の係止片５８ａが嵌合する嵌合溝１０９が形成されている。
ハンマケース８の左側面には、図１２にも示すように、左受け凹部１０６に嵌合したライトケース１０４に当接する左面取部１１０が形成され、その上方には、ハンマケースカバー５８の左側の係止片５８ａに設けた透孔５８ｂに挿入してハンマケースカバー５８を位置決めする位置決め突起１１１が突設されている。
【００２６】
一方、本体部２の右側でも同様に、図１０に示すように、ハンマケース８の右側面を覆う半割ハウジング４ｂの上部前端において、上下方向の中央部分には、ハンマケースカバー５８の後端形状に合わせて、上下幅が後方へ行くに従って先細りテーパ状となる右切欠部１１２が形成されており、この右切欠部１１２の後方部分に、右外側へ突出して前方へ開口し、内面に右側のライト１０１Ｂのライトケース１０４が嵌合する上下に長い四角形状の右受け凹部１１３が形成されている。
また、右受け凹部１１３の下側には、ＬＥＤ基板１０２に接続されてライトケース１０４の下面から引き出されるリード線１０７（図１１）を半割ハウジング４ｂの内面に沿って下方へ引き回すための右引き回し溝１１４が、右受け凹部１１３に連通して下向きに凹設されている。さらに、右受け凹部１１３の下側にも、ハンマケースカバー５８の後端右側から後ろ向きに突設された帯状の係止片５８ａが嵌合する嵌合溝１０９が形成されている。
【００２７】
そして、ハンマケース８の右側面には、図１１にも示すように、右受け凹部１１３に嵌合したライトケース１０４に当接する右面取部１１５が形成され、その上方にも、ハンマケースカバー５８の左側の係止片５８ａに設けた透孔５８ｂに挿入してハンマケースカバー５８を位置決めする位置決め突起１１１が突設されている。
また、右面取部１１５の上側には、右面取部１１５に載置されたライトケース１０４の上面に当接する上支持爪１１６が、後側には、ライトケース１０４の後面に当接する後支持爪１１７が突設されている。また、右面取部１１５の下側には、ライトケース１０４の下面に当接する一対の下支持爪１１８，１１８が、ライトケース１０４の下面から引き出されるリード線１０７が通過可能な間隔をおいて前後に突設されている。半割ハウジング４ｂの内面で右受け凹部１１３の後方には、図７，１０に示すように、後支持爪１１７の後方に係止する係止リブ１１９が形成されている。
【００２８】
よって、ライト１０１Ａ，１０１Ｂの組付けは左右で異なる。まず、ハンマケース８の左側では、半割ハウジング４ａを作業台等の上面に内面を上にして載置した状態で、先に左側のライト１０１Ａのライトケース１０４を左受け凹部１０６に、ＬＥＤ１０３を前向きにした縦方向に嵌合させ、リード線１０７を左引き回し溝１０８に嵌合させる。この状態で、打撃機構１３を収容してハンマケースカバー５８及びバンパ５９を装着したハンマケース８を、遊星歯車減速機構１１等と共に、半割ハウジング４ａの内面上へセットすると、ハンマケース８の左面取部１１０がライトケース１０４に当接してライト１０１Ａが左受け凹部１０６との間で挟持される。
【００２９】
一方、ハンマケース８の右側では、ハンマケース８の右側面の右面取部１１５に、右側のライト１０１Ｂのライトケース１０４を、同じくＬＥＤ１０３を前向きにした縦方向で、上支持爪１１６と後支持爪１１７と下支持爪１１８，１１８とで囲まれる空間内に嵌合するようにして載置し、リード線１０７を下支持爪１１８，１１８の間から下方に引き出す。この状態で半割ハウジング４ｂを、右受け凹部１１３にライトケース１０４が嵌合し、右引き回し溝１１４にリード線１０７が嵌合するように被せれば、ライト１０１Ｂが右面取部１１５と右受け凹部１１３との間で挟持される。このようにハンマケース８に突設した各爪１１６〜１１８によってライト１０１Ｂをハンマケース８の右側面に仮固定できるので、右側からのライト１０１Ｂの組み付けが容易に行え、部品点数も削減できる。
【００３０】
そして、左右の半割ハウジング４ａ，４ｂ同士をネジ９，９・・によって固定すれば、図７，８に示すように、左右のライト１０１Ａ，１０１Ｂは、前後方向ではハンマケースカバー５８の上下方向の中央部分の後端面１２０にライトケース１０４の前面を近接させて、ハンマケースカバー５８の後端面１２０とライトケース１０４とを前後方向にオーバーラップさせた位置で固定される。また、正面視でライト１０１Ａ，１０１Ｂは、アンビル１４の軸心と中心とした同心円上で、当該軸心を中心とした左右の点対称位置に、ＬＥＤ１０３，１０３の長手方向を当該同心円周方向に沿わせた姿勢で固定される。この固定状態で左右のライトケース１０４，１０４は、図３に示すように、左受け凹部１０６及び右受け凹部１１３の前方の開口を介して前面を露出させて、その内側のＬＥＤ１０３，１０３をライトケース１０４越しに開口の前方へ臨ませている。
【００３１】
以上の如く構成されたインパクトドライバ１において、アンビル１４に図示しないビットを装着した後、トリガ１６を押し込んでスイッチ１５をＯＮさせると、モータ１０に給電されて回転軸３３が回転する。すなわち、制御回路基板２１のマイコンが、センサ回路基板３７の回転検出素子から出力されるロータ２４のセンサ用永久磁石３６の位置を示す回転検出信号を得てロータ２４の回転状態を取得し、取得した回転状態に応じて各スイッチング素子のＯＮ／ＯＦＦを制御し、ステータ２３の各コイル２８に対し順番に電流を流すことでロータ２４を回転させる。
【００３２】
すると、ピニオン４７と噛合するプラネタリーギヤ６４がインターナルギヤ６３内で公転運動し、キャリア部６１を介してスピンドル１２を減速して回転させる。よって、ハンマ７０も回転して爪７２，７２が係合するアーム８１，８１を介してアンビル１４を回転させ、ビットによるネジ締めが可能となる。このときアンビル１４は、前後２つのボールベアリング８０Ａ，８０Ｂによって軸支されているので、アンビル１４のがたつきが抑えられ、先端のビットに振れが生じにくくなる。
ネジ締めが進んでアンビル１４のトルクが高まると、ハンマ７０が、ボール７５，７５をスピンドル１２の内側カム溝７４，７４に沿って転動させながらコイルバネ７１の付勢に抗して後退し、爪７２，７２がアーム８１，８１から離れると、コイルバネ７１の付勢と内側カム溝７４，７４の案内とにより、ハンマ７０は前進しながら回転して爪を再びアーム８１，８１に係合させ、アンビル１４に回転打撃力（インパクト）を発生させる。この繰り返しによってさらなる締め付けが可能となる。
【００３３】
また、スイッチ１５のＯＮによって制御回路基板２１は、左右のライト１０１Ａ，１０１Ｂの各ＬＥＤ基板１０２に通電させてＬＥＤ１０３をそれぞれ点灯させる。このとき、左右のＬＥＤ１０３，１０３からの光はアンビル１４及びビットの左右両側から前方へ照射されるので、照射範囲にアンビル１４やビットの影が生じにくくなる。よって、作業箇所が確実に照明され、暗所での作業も良好に行える。
特に、ＬＥＤ１０３の光は、ハンマケースカバー５８の左右の後端面１２０，１２０の後方から前向きに照射されるため、ＬＥＤ１０３の照射範囲内に位置するハンマケースカバー５８の内部にＬＥＤ１０３の光が後方から通過してハンマケースカバー５８の左右の側面を発光させる。よって、照明効果がより高くなる。
【００３４】
［ライトの発明の効果］
このように、上記形態のインパクトドライバ１によれば、モータ１０と、モータ１０により回転するスピンドル１２と、スピンドル１２に保持されるハンマ７０と、前方へ突出してハンマ７０により回転方向に打撃されるアンビル１４と、ハンマ７０を収容するハンマケース８と、ハンマケース８の外周に配置され、透光性を有するハンマケースカバー５８と、アンビル１４の前方に向けて光を照射するライト１０１Ａ，１０１Ｂと、を含み、ライト１０１Ａ，１０１Ｂの照射範囲内に、ハンマケースカバー５８が位置していることで、２つのライト１０１Ａ，１０１Ｂからの光によってハンマケースカバー５８の左右を発光させることができる。よって、作業箇所を好適に照明することができる。
【００３５】
また、上記形態のインパクトドライバ１によれば、モータ１０と、モータ１０により回転するスピンドル１２と、スピンドル１２に保持されるハンマ７０と、前方へ突出してハンマ７０により回転方向に打撃される軸状のアンビル１４と、ハンマ７０を収容する金属製のハンマケース８と、ハンマケース８の外周に配置されるハンマケースカバー５８と、正面視でアンビル１４の径方向外側に配置され、アンビル１４の前方に向けて光を照射する２つのＬＥＤ１０３，１０３と、を含んでなることで、２つのＬＥＤ１０３，１０３からの光によってアンビル１４やビットの影を生じにくくして作業箇所を好適に照明することができる。
【００３６】
特にここでは、ＬＥＤ１０３は、正面視が長方形状を有し、長手方向がアンビル１４の軸心を中心とした円周方向に沿うように配置されているので、光をアンビル１４の前方へ集めて効果的に照射することができる。
また、ハンマケース８の下部に、動作モードを切替操作するための切替スイッチ５６が配置されているので、グリップ部３を把持する手指で動作モードの切替操作を容易に行うことができる。
【００３７】
なお、上記形態では、２つのライトを、アンビルの軸心との同心円上で左右に点対称で配置しているが、左右に限らず、正面視で上下や斜め方向で点対称となるように配置してもよい。また、ライトは２つに限らず、３つ以上で同心円上に配置してもよい。但し、同心円上でなくても、アンビルの軸心を中心とした複数の円周上で配置することも可能である。
さらに、上記形態ではＬＥＤ基板に１つのＬＥＤを搭載しているが、複数のＬＥＤを搭載したものであっても差し支えない。ライトケースも、前面部分をレンズにしたり、ライトケースをなくして受け凹部の前面の開口をレンズ板で塞いだりしてもよい。
一方、ハウジングへの組み付けも、上記形態と左右逆の組み付け構造としたり、左右どちらも同じ組み付け構造としたりすることは可能である。
加えて、上記形態では、ライトに設けられるレンズはハンマケースカバーと別体とされているが、レンズをハンマケースカバーと一体としてもよい。この場合、例えばハンマケースカバーの後端部を正面視でライトの前方に重なるように外側（後端部の右側では右外側、左側では左外側）へそれぞれ折曲させ、当該折曲部分にレンズを形成すればよい。このようにハンマケースカバー自体にレンズを設ければ、ハンマケースカバーへの導光性をさらに高めることができる。
【００３８】
そして、上記形態ではインパクトドライバを基に説明を行っているが、ライトの配置等に係る発明については、インパクトドライバに限るものではない。
インパクトドライバ以外の電動工具においても、動力伝達部（例えば、ギヤ、減速部、往復動変換部、往復動に関する打撃機構部）がケースに内蔵され、当該ケースの少なくとも一部を覆うように分割ハウジングが設けられている場合があるため、このような電動工具にも、ケースと分割ハウジングとの間に配置したライトの光を、ケースから突出する先端工具保持部付近に照射することにより、作業性を高めることが可能となる。このような電動工具としては、ドライバドリル、レシプロソー、マルノコ、ハンマドリル等があり、これらの電動工具においても、上記形態のようにライトを配置することができる。
よって、以下の構成が発明として捉えられる。
「モータと、前記モータにより駆動する動力伝達部と、前記動力伝達部を収容するケースと、前記ケースから突出する先端工具保持部と、前記ケースの少なくとも一部を覆う第１、第２の分割ハウジングとを有し、前記第１の分割ハウジングに第１のライトが保持された状態で、第２のライトを保持した前記ケースが前記第１の分割ハウジングに配置され、前記ケースに前記第２の分割ハウジングが組み付けられている電動工具（或いは電動工具の組み付け方法）」
なお、分割ハウジングは半割構造に限らないし、半割構造であっても左右方向の分割に限らない。
【００３９】
［アンビルの軸支構造に係る発明の効果］
そして、上記形態のインパクトドライバ１によれば、前後２つの軸受（ボールベアリング８０Ａ，８０Ｂ）によってアンビル１４を回転可能に直接保持しているので、保持部分が前後に長くなってアンビル１４のがたつきを効果的に低減することができる。よって、先端のビットの振れを抑えることができる。
特にここでは、２つの軸受を共にボールベアリング８０Ａ，８０Ｂとしているので、軸受を２つ配置しても前後方向にコンパクトとなる。
また、ハンマケース８の前筒部５０の内径部５０ａを軸方向に同一で形成して、ボールベアリング８０Ａ，８０Ｂの外径を同一としているので、径方向にもコンパクトとなる。
【００４０】
一方、ボールベアリング８０Ａ，８０Ｂの径方向内側には、Ｏリング８７，８７が配置されているので、内側のシール性も確保できる。
また、ボールベアリング８０Ａ，８０Ｂは、ハンマケース８に後方から挿入されて保持されているので、ハンマケース８への組付けが容易に行える。
さらに、ボールベアリング８０Ａ，８０Ｂは、それぞれ内輪８０ａと、外輪８０ｂと、ボール８０ｃとを含み、ボールベアリング８０Ａ，８０Ｂの間には、前後の外輪８０ｂ、８０ｂとに当接する中間ワッシャ８２が配置されているので、ボールベアリング８０Ａ，８０Ｂを間隔をおいて前後に配置でき、アンビル１４のがたつきをより効果的に低減することができる。
そして、ハンマケース８には、ボールベアリング８０Ｂの後面に当接する後ワッシャ８４が設けられているので、後方から挿入したボールベアリング８０Ｂを簡単に位置決めできる。
【００４１】
なお、前後２つのボールベアリングの間には、軸方向に重ねた複数のワッシャを介在させて間隔をより広く確保するようにしてもよいし、逆にワッシャ等のスペーサ部材をなくしてボールベアリング同士を当接させてもよい。前後のボールベアリングの外径を互いに変えることもできる。
また、軸受としては、上記形態のように内輪と外輪との間に複数のボールが一列で配置されるボールベアリング（単列玉軸受）に限らず、内輪と外輪との間に複数のボールが２列等の複数列で配置される複列玉軸受を採用して、これを前後に２個配置することもできる。さらに、ニードルベアリングを採用してこれを前後に２個配置することもできる。
【００４２】
［振れ抑制効果の検証］
上記形態のインパクトドライバ１について、出願日前に販売されていた製品群との比較を行い、振れ抑制効果の優位性を確認した。
検証方法は、図１３（Ａ）に示される。ここでは上記した製品群を同じ条件で計測するために、アンビル１４におけるハンマケース８の前端面から１０ｍｍの箇所に、フォースゲージ２００により１ｋｇｆ（９．８Ｎ）の荷重を左右からそれぞれ加え、その反対側の位置に、ダイヤルゲージ２０１を配置して、アンビル１４が左右でどの程度変位するかをダイヤルゲージ２０１によって計測した。ここで、１ｋｇｆ（９．８Ｎ）とは、ネジ締めの際にアンビル１４が拗れた（軸からずれた方向に力が掛かった）際に想定される荷重である。
【００４３】
検証結果は、図１３（Ｂ）の表に示すものであった。軸受の種類はそれぞれ表中に示しているが、ボールベアリングを２つ使用したものは、本発明の実施例のみである。本発明の実施品では、表中に示した通り、１ｋｇｆ（９．８Ｎ）の荷重を掛けた際の変位は、平均０．０２ｍｍとなっており、他の製品群と比較してアンビル１４の振れが非常に小さくなっていることが分かる。
なお、本発明においては、多少の精度誤差を含めて、０．０４ｍｍとなることを許容している。この場合でも他の製品群に対する優位性は保たれる。また、０．０２ｍｍ以下であってもよい。例えば、０．０１ｍｍ以下であれば、さらにアンビル１４の振れが小さいこととなり、より使いやすいインパクトドライバとなる。
なお、上記した製品群は、いくつかの種類の軸受を使用していたが、その軸受・ハンマケース・アンビルの精度を高めることにより、本発明と同様に、０．０４ｍｍとすることができる場合もある。
【符号の説明】
【００４４】
１・・インパクトドライバ、２・・本体部、３・・グリップ部、４・・本体ハウジング、８・・ハンマケース、１０・・モータ、１１・・遊星歯車減速機構、１２・・スピンドル、１３・・打撃機構、１４・・アンビル、２３・・ステータ、２４・・ロータ、３３・・回転軸、５０・・前筒部、５０ａ・・内径部、５６・・切替スイッチ、５７・・ボタン部、５８・・ハンマケースカバー、７０・・ハンマ、７１・・コイルバネ、８０Ａ，８０Ｂ・・ボールベアリング、８０ａ・・内輪、８０ｂ・・外輪、８０ｃ・・ボール、８１・・アーム、８２・・中間ワッシャ、８３・・前ワッシャ、８４・・後ワッシャ、８７・・Ｏリング、１０１Ａ，１０１Ｂ・・ライト、１０２・・ＬＥＤ基板、１０３・・ＬＥＤ、１０４・・ライトケース、１０５・・左切欠部、１０６・・左受け凹部、１０７・・リード線、１０８・・左引き回し溝、１１０・・左面取部、１１２・・右切欠部、１１３・・右受け凹部、１１４・・右引き回し溝、１１５・・右面取部、１１６・・上支持爪、１１７・・後支持爪、１１８・・下支持爪、１２０・・後端面。
【図１】
2019111612.tif 000003
【図２】
2019111612.tif 000004
【図３】
2019111612.tif 000005
【図４】
2019111612.tif 000006
【図５】
2019111612.tif 000007
【図６】
2019111612.tif 000008
【図７】
2019111612.tif 000009
【図８】
2019111612.tif 000010
【図９】
2019111612.tif 000011
【図１０】
2019111612.tif 000012
【図１１】
2019111612.tif 000013
【図１２】
2019111612.tif 000014
【図１３】
2019111612.tif 000015